(57)【特許請求の範囲】
【請求項１】
Ｎａｔｉｖｅ電話番号及びＦＭＣ内線電話番号を有するユーザ端末と相手方着信端末との通話路を形成するために、ＦＭＣ（Ｆｉｘｅｄ−Ｍｏｂｉｌｅ  Ｃｏｎｖｅｒｇｅｎｃｅ）サーバに含まれる装置であって、
前記ユーザ端末において前記ＦＭＣ内線電話番号に基づいた音声発信イベントの発生時に、音声電話網を介して前記ユーザ端末のＮａｔｉｖｅ電話番号から前記ＦＭＣサーバの電話番号に発信された音声呼を受信して、前記ユーザ端末と前記ＦＭＣサーバとの間の第１通話路を形成するための第１通話路形成部と、
前記音声発信イベントに対応する前記ユーザ端末のＦＭＣ内線電話番号及び前記相手方着信端末の電話番号を、データ網を介して前記ユーザ端末から受信するための着発信情報受信部と、
前記受信されたＦＭＣ内線電話番号及び前記着信端末の電話番号に基づき、前記音声電話網を介して前記ＦＭＣサーバと前記相手方着信端末との間の第２通話路を形成するための第２通話路形成部と、
前記第１通話路と前記第２通話路とを連結して、前記ユーザ端末と前記相手方着信端末との通話がなされるようにする通話路連結部と、を含む有無線融合システムにおける音声通信制御のための装置。
【請求項２】
前記第２通話路形成部は、前記ＦＭＣサーバから前記音声電話網を介して相手方着信端末の電話番号に電話して前記第２通話路を形成することを特徴とする請求項１に記載の有無線融合システムにおける音声通信制御のための装置。
【請求項３】
前記第２通話路に対する発信番号は、前記ユーザ端末のＦＭＣ内線電話番号であり、着信番号は、前記相手方着信端末の電話番号であることを特徴とする請求項１に記載の有無線融合システムにおける音声通信制御のための装置。
【請求項４】
前記第２通話路形成部は、
前記ユーザ端末のＦＭＣ内線電話番号から呼び出しがあったということを、前記データ網を介して前記相手方着信端末に通知し、前記通知の結果、前記相手方着信端末から前記音声電話網を介して前記ＦＭＣサーバにかかってきた電話を受信して、前記第２通話路を形成することを特徴とする請求項１に記載の有無線融合システムにおける音声通信制御のための装置。
【請求項５】
Ｎａｔｉｖｅ電話番号及びＦＭＣ内線電話番号を有するユーザ端末と相手方発信端末との通話路を形成するために、ＦＭＣ（Ｆｉｘｅｄ  Ｍｏｂｉｌｅ  Ｃｏｎｖｅｒｇｅｎｃｅ）サーバに含まれる装置であって、
前記相手方発信端末の電話番号から音声電話網を介して前記ユーザ端末のＦＭＣ内線電話番号を着信先とする音声呼を受信して、前記相手方発信端末と前記ＦＭＣサーバとの間の第２通話路を形成するための第２通話路形成部と、
前記受信された音声呼の発信番号としての前記相手方発信端末の電話番号を、データ網を介して前記ユーザ端末に通知するための着発信情報通知部と、
前記相手方発信端末の前記電話番号の通知に応じて、呼び出しがあった前記ユーザ端末により生成される、前記ユーザ端末の前記Ｎａｔｉｖｅ電話番号から前記ＦＭＣサーバの電話番号にかかってきたさらなる電話を受信して、前記音声電話網を介して前記ユーザ端末と前記ＦＭＣサーバとの間の第１通話路を形成するための第１通話路形成部と、
前記第１通話路と前記第２通話路とを連結して、前記相手方発信端末と呼び出しがあった前記ユーザ端末との通話がなされるようにする通話路連結部と、を含む、有無線融合システムにおける音声通信制御のための装置。
【請求項６】
前記着発信情報通知部は、前記相手方発信端末から前記ユーザ端末のＦＭＣ内線電話番号に電話がかかってきたことを、前記データ網を介して前記ユーザ端末に通知することを特徴とする請求項５に記載の有無線融合システムにおける音声通信制御のための装置。
【請求項７】
前記第１通話路に対する発信番号及び着信番号は、それぞれ前記ユーザ端末のＮａｔｉｖｅ電話番号及び前記ＦＭＣサーバの電話番号であることを特徴とする請求項６に記載の有無線融合システムにおける音声通信制御のための装置。
【請求項８】
Ｎａｔｉｖｅ電話番号及びＦＭＣ内線電話番号を有するユーザ端末と相手方発信端末との通話路を形成するために、ＦＭＣ（Ｆｉｘｅｄ  Ｍｏｂｉｌｅ  Ｃｏｎｖｅｒｇｅｎｃｅ）サーバが実行する方法であって、
（ａ）前記相手方発信端末の電話番号から音声電話網を介して前記ユーザ端末のＦＭＣ内線電話番号を着信先とする音声呼を受信して、前記相手方発信端末と前記ＦＭＣサーバとの間の第２通話路を形成するステップと、
（ｂ）前記受信された音声呼の発信番号としての前記相手方発信端末の電話番号を、データ網を介して前記ユーザ端末に通知し、前記相手方発信端末の前記電話番号の通知に応じて、呼び出しがあった前記ユーザ端末により生成される、前記ユーザ端末の前記Ｎａｔｉｖｅ電話番号から前記ＦＭＣサーバの電話番号にかかってきたさらなる電話を受信して、前記音声電話網を介して前記ユーザ端末と前記ＦＭＣサーバとの間の第１通話路を形成するステップと、
（ｃ）前記第１通話路と前記第２通話路とを連結して、前記相手方発信端末と呼び出しがあった前記ユーザ端末との通話がなされるようにするステップと、
を含む、方法。
【発明の詳細な説明】
【技術分野】
【０００１】
本発明は、有無線融合（Ｆｉｘｅｄ  Ｍｏｂｉｌｅ  Ｃｏｎｖｅｒｇｅｎｃｅ：ＦＭＣ）技術に係り、さらに詳細には、有無線融合システムにおける有無線融合サービス時に、ユーザ端末から発信または着信される音声通信呼に対する通信経路（または通話路と称する）を効率よく制御して、通話費用及び品質を最適化することができる、有無線融合システムにおける音声通信制御のための装置及び方法に関する。
【背景技術】
【０００２】
一般に、有無線融合（Ｆｉｘｅｄ  Ｍｏｂｉｌｅ  Ｃｏｎｖｅｒｇｅｎｃｅ：ＦＭＣ）サービスは、移動端末としてのＦＭＣ端末を用いて室内では、ＷＬＡＮ（Ｗｉｒｅｌｅｓｓ  Ｌｏｃａｌ  Ａｒｅａ  Ｎｅｔｗｏｒｋ）（例えば、ＷｉＦｉ網）のような近距離無線通信ネットワークを、室外では、３Ｇ／ＬＴＥ移動通信網のような遠距離無線（移動）通信ネットワークを用いて、通信を行う技術であって、複数のアクセス網を選択的に用いて通信を行う端末通信サービスを示す。すなわち、ＦＭＣサービスは、移動電話端末機を屋内／屋外を問わず、有線電話（構内電話）のように使用可能にするサービスまたは技術である。
【０００３】
したがって、ＦＭＣ端末は、少なくとも２つ以上の無線インターフェースを有する。例えば、２つ以上のインターフェースは、移動通信網とＷｉＦｉ網とにそれぞれ接続できるインターフェースであり得る。ユーザの立場では、かようなＦＭＣ端末機を用いてＷｉＦｉ網を介してＦＭＣサービスを提供されて、サービス利用料金を節約することができ、網事業者の立場では、移動通信網の負荷を減らすことができた。
【０００４】
しかし、ＷｉＦｉ網は、同一周波数帯域で多数の利用者が利用するので、干渉の問題が激しく、リアルタイム音声通話のための通話品質が保証されない問題点があり、一方、移動電話網の高度化によってＬＴＥ網は、室内／室外に関係なく、安定した品質のＦＭＣサービスを提供することができる。しかし、最近、音声通話は、無制限に提供する代わりに、データ使用量によって課金するデータ料金制が導入されるにつれ、音声網よりもデータ網に対する使用費用が逆転される趨勢である。かようなデータ中心の通信環境では、ＦＭＣ加入者の経済的費用負担（例えば、音声通話時に消耗されるデータによる費用など）が増加して、ＦＭＣを介して業務移動性（Ｍｏｂｉｌｉｔｙ）と生産性増加とを図る企業のＦＭＣ導入意思決定を躊躇させる問題点がある。
【発明の概要】
【発明が解決しようとする課題】
【０００５】
本発明は、前記従来の問題点を解決するためのものであって、その目的は、有無線融合システムにおける有無線融合サービス時にユーザ端末から発信または着信される音声通信呼に対する通話路を効率よく制御して、通話費用及び通話品質を最適化することができる、有無線融合システムにおける音声通信制御のための装置及び方法を提供するものである。
【課題を解決するための手段】
【０００６】
前記目的を達成するために、本発明の一側面による有無線融合システムにおける音声通信制御のための装置は、ＦＭＣ（Ｆｉｘｅｄ  Ｍｏｂｉｌｅ  Ｃｏｎｖｅｒｇｅｎｃｅ）サーバに含まれる装置であって、音声電話網を介してユーザ端末から発信された音声（発信）呼を受信して、前記ユーザ端末との第１通話路を形成するための第１通話路形成部と、データ網を介して前記ユーザ端末から前記音声呼に対する発信ＦＭＣ内線電話番号及び着信電話番号を受信するための着発信情報受信部と、前記受信された着信電話番号に基づき、前記音声電話網を介して相手方着信端末との第２通話路を形成するための第２通話路形成部と、前記第１通話路と前記第２通話路とを連結して、前記ユーザ端末と前記相手方着信端末との通話を可能ならしめるための通話路連結部と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。前記第１通話路に対する発信番号は、前記ユーザ端末のＮａｔｉｖｅ電話番号であり、着信番号は、前記ＦＭＣサーバの電話番号であり得る。
【０００７】
前記第２通話路形成部は、一例として、前記ＦＭＣサーバから前記音声電話網を介して相手方着信電話番号に電話して、前記第２通話路を形成し、この際、前記第２通話路に対する発信番号は、前記ユーザ端末のＦＭＣ内線電話番号であり、着信番号は、前記相手方着信端末の電話番号であり得る。
【０００８】
前記第２通話路形成部は、他の例として、前記データ網を介して前記ユーザ端末のＦＭＣ内線電話番号から呼び出しがあったということを、前記相手方着信端末（の電話番号）に通知し、その通知によって前記相手方着信端末が、前記音声電話網を介して前記ＦＭＣサーバに電話するようにして、前記第２通話路を形成することができる。
【０００９】
前記目的を達成するために、本発明の他の側面による有無線融合システムにおける音声通信制御のための装置は、ＦＭＣ（Ｆｉｘｅｄ  Ｍｏｂｉｌｅ  Ｃｏｎｖｅｒｇｅｎｃｅ）サーバに含まれる装置であって、相手方発信端末から音声電話網を介してユーザ端末を着信地とする音声（着信）呼を受信して、前記相手方発信端末との第２通話路を形成するための第２通話路形成部と、データ網を介して前記第２通話路に対する発信番号及び着信番号を前記ユーザ端末に通知するための着発信情報通知部と、前記音声電話網を介して前記ユーザ端末との第１通話路を形成するための第１通話路形成部と、前記第１通話路と前記第２通話路とを連結して、前記相手方発信端末と前記ユーザ端末との通話を可能にする通話路連結部と、を含むことができる。前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。前記第２通話路に対する発信番号及び着信番号は、それぞれ前記相手方発信端末の電話番号及び前記ユーザ端末のＦＭＣ内線電話番号であり得る。
【００１０】
一例として、前記着発信情報通知部は、前記相手方発信端末から前記ユーザ端末のＦＭＣ内線電話番号に電話がかかってきたことを、前記データ網を介して前記ユーザ端末に通知し、前記第１通話路形成部は、前記ユーザ端末から前記音声電話網を介して前記ＦＭＣサーバにかかってきた電話を受信して、前記第１通話路を形成し、ここで、前記第１通話路に対する発信番号及び着信番号は、それぞれ前記ユーザ端末のＮａｔｉｖｅ電話番号及び前記ＦＭＣサーバの電話番号であり得る。
【００１１】
他の例として、前記第１通話路形成部は、前記ＦＭＣサーバから前記音声電話網を介して前記ユーザ端末に電話して前記第１通話路を形成し、前記着発信情報通知部は、前記相手方発信端末から呼び出しがあったということを、前記データ網を介して前記ユーザ端末のＦＭＣ内線電話番号に通知し、ここで、前記第１通話路に対する発信番号及び着信番号は、それぞれ前記ＦＭＣサーバの電話番号及び前記ユーザ端末のＮａｔｉｖｅ電話番号であり得る。
【００１２】
前記目的を達成するための本発明のさらに他の側面による有無線融合システムにおける音声通信制御のための装置は、ユーザ端末に含まれる装置として、前記ユーザ端末のＦＭＣ内線電話番号を発信番号とする音声発信イベントの発生時に、前記ユーザ端末のＮａｔｉｖｅ電話番号を発信番号とし、ＦＭＣサーバの電話番号を着信番号とする音声（発信）呼を音声電話網を介して発信して前記ＦＭＣサーバとの第１通話路を形成するための第１通話路形成部と、データ網を介して前記発生したイベントの発信番号（すなわち、ＦＭＣ内線電話番号）及び相手方着信電話番号を前記ＦＭＣサーバに通知するための着発信情報通知部と、及び前記第１通話路及び前記ＦＭＣサーバと着信端末との間に、音声電話網を介して形成された第２通話路を通じて、前記着信端末と通話するための通話部を含むことができ、前記音声電話網はＶｏＬＴＥ、３Ｇ、インターネット電話網、及びＰＳＴＮのうち、少なくとも一つ以上の通信網を含むことができ、前記データ網は、ＷｉＦｉ、インターネット、及びＬＴＥのうち、少なくとも一つ以上の通信網を含むことができる。
【００１３】
前記目的を達成するための本発明のさらに他の側面による有無線融合システムにおける音声通信制御のための装置は、ユーザ端末に含まれる装置であって、音声電話網を介してＦＭＣサーバから前記ユーザ端末のＮａｔｉｖｅ電話番号にかかってきた電話を受信して、前記ＦＭＣサーバとの第１通話路を形成するための第１通話路形成部と、データ網を介して前記ＦＭＣサーバから通知された相手方発信端末の電話番号及び前記ユーザ端末のＦＭＣ内線電話番号を、実際着発信情報として認知するための着発信情報受信部と、前記第１通話路及び前記ＦＭＣサーバと前記発信端末との間に、音声電話網を介して形成された第２通話路を通じて、前記発信端末と通話するための通話部と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。
【００１４】
前記目的を達成するための本発明のさらに他の側面による有無線融合システムにおける音声通信制御のための装置は、ユーザ端末に含まれる装置であって、データ網を介して相手方発信端末から前記ユーザ端末のＦＭＣ内線電話番号への着信イベントがあるということを、ＦＭＣサーバから通知されるための着発信情報受信部と、前記ユーザ端末のＮａｔｉｖｅ電話番号から音声電話網を介して前記ＦＭＣサーバの電話番号に電話して第１通話路を形成するための第１通話路形成部と、前記第１通話路及び前記ＦＭＣサーバと前記発信端末との間に、音声電話網を介して形成された第２通話路を通じて、前記発信端末と通話するための通話部と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。
【００１５】
前記目的を達成するために本発明の一側面による有無線融合システムにおける音声通信制御のための方法は、ＦＭＣ（Ｆｉｘｅｄ  Ｍｏｂｉｌｅ  Ｃｏｎｖｅｒｇｅｎｃｅ）サーバで行う方法であって、（ａ）音声電話網を介してユーザ端末から発信された音声（発信）呼を受信して前記ユーザ端末との第１通話路を形成する段階と、（ｂ）データ網を介して前記ユーザ端末から前記音声呼に対する発信ＦＭＣ内線電話番号及び着信電話番号を受信する段階と、（ｃ）前記受信された着信電話番号に基づき、前記音声電話網を介して相手方着信端末との第２通話路を形成する段階と、（ｄ）前記第１通話路と前記第２通話路とを連結して、前記ユーザ端末と前記相手方着信端末との通話を可能ならしめる段階と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。前記第１通話路に対する発信番号は、前記ユーザ端末のＮａｔｉｖｅ電話番号であり、着信番号は、前記ＦＭＣサーバの電話番号であり得る。
【００１６】
前記段階（ｃ）は、一例として、前記ＦＭＣサーバから前記音声電話網を介して相手方着信電話番号に電話して前記第２通話路を形成し、前記第２通話路に対する発信番号は、前記ユーザ端末のＦＭＣ内線電話番号であり、着信番号は、前記相手方着信端末の電話番号であり得る。
【００１７】
前記段階（ｃ）は、他の例として、（ｃ−１）前記データ網を介して前記ユーザ端末のＦＭＣ内線電話番号から呼び出しがあったということを、前記相手方着信端末（の電話番号）に通知する段階と、（ｃ−２）前記相手方着信端末から前記音声電話網を介して前記ＦＭＣサーバにかかってきた電話を受信して、前記第２通話路を形成する段階と、を含むことができる。
【００１８】
前記目的を達成するために本発明の他の側面による有無線融合システムにおける音声通信制御のための方法は、ＦＭＣ（Ｆｉｘｅｄ  Ｍｏｂｉｌｅ  Ｃｏｎｖｅｒｇｅｎｃｅ）サーバで行う方法であって、（ａ）相手方発信端末から音声電話網を介してユーザ端末を着信地とする音声（着信）呼を受信して、前記相手方発信端末との第２通話路を形成する段階と、（ｂ）前記音声電話網を介して前記ユーザ端末との第１通話路を形成し、データ網を介して前記第２通話路に対する発信番号及び着信番号を前記ユーザ端末に通知する段階と、（ｃ）前記第１通話路と前記第２通話路とを連結して、前記相手方発信端末と前記ユーザ端末との通話を可能にする段階と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。前記第２通話路に対する発信番号及び着信番号は、それぞれ前記相手方発信端末の電話番号及び前記ユーザ端末のＦＭＣ内線電話番号であり得る。
【００１９】
前記段階（ｂ）は、一例として、（ｂ−１）データ網を介して前記相手方発信端末から前記ユーザ端末のＦＭＣ内線電話番号に電話がかかってきたことを、前記ユーザ端末に通知する段階と、（ｂ−２）前記ユーザ端末から前記音声電話網を介して前記ＦＭＣサーバに電話して、前記第２通話路を形成する段階と、を含み、本実施例において、前記第２通話路に対する発信番号及び着信番号は、それぞれ前記ユーザ端末のＮａｔｉｖｅ電話番号及び前記ＦＭＣサーバの電話番号であり得る。
【００２０】
前記段階（ｂ）は、他の例として、（ｂ−１）前記ＦＭＣサーバから前記音声電話網を介して前記ユーザ端末に電話して、前記第２通話路を形成する段階と、（ｂ−２）前記データ網を介して前記相手方発信端末から呼び出しがあったということを、前記ユーザ端末のＦＭＣ内線電話番号に通知する段階を含み、本実施例において前記第２通話路に対する発信番号及び着信番号は、それぞれ前記ＦＭＣサーバの電話番号及び前記ユーザ端末のＮａｔｉｖｅ電話番号であり得る。
【００２１】
前記目的を達成するための本発明のさらに他の側面による有無線融合システムにおける音声通信制御のための方法は、ユーザ端末で行う方法であって、（ａ）前記ユーザ端末のＦＭＣ内線電話番号を発信番号とする発信イベントの発生時に、前記ユーザ端末のＮａｔｉｖｅ電話番号を発信番号とし、ＦＭＣサーバの電話番号を着信番号とする音声（発信）呼を、音声電話網を介して発信して、前記ＦＭＣサーバとの第１通話路を形成するための段階と、（ｂ）データ網を介して前記発生したイベントの発信番号（すなわち、ＦＭＣ内線電話番号）及び相手方着信電話番号を前記ＦＭＣサーバに通知する段階と、（ｃ）前記第１通話路及び前記ＦＭＣサーバと着信端末との間に、音声電話網を介して形成された第２通話路を通じて、前記着信端末と通話する段階と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。
【００２２】
前記目的を達成するための本発明のさらに他の側面による有無線融合システムにおける音声通信制御のための方法は、ユーザ端末で行う方法であって、（ａ）音声電話網を介してＦＭＣサーバから前記ユーザ端末のＮａｔｉｖｅ電話番号にかかってきた電話を受信し、前記ＦＭＣサーバとの第１通話路を形成する段階と、（ｂ）データ網を介して前記ＦＭＣサーバから通知された相手方発信端末の電話番号及び前記ユーザ端末のＦＭＣ内線電話番号を実際着発信情報として認知する段階と、（ｃ）前記第１通話路及び前記ＦＭＣサーバと前記発信端末との間に、音声電話網を介して形成された第２通話路を通じて、前記発信端末と通話する段階と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。
【００２３】
前記目的を達成するための本発明のさらに他の側面による有無線融合システムにおける音声通信制御のための方法は、ユーザ端末で行う方法であって、（ａ）データ網を介して相手方発信端末から前記ユーザ端末のＦＭＣ内線電話番号への着信イベントがあるということを、ＦＭＣサーバから通知される段階と、（ｂ）前記ユーザ端末のＮａｔｉｖｅ電話番号から音声電話網を介して前記ＦＭＣサーバの電話番号に電話して第１通話路を形成する段階と、（ｃ）前記第１通話路及び前記ＦＭＣサーバと前記発信端末との間に、音声電話網を介して形成された第２通話路を通じて、前記発信端末と通話する段階と、を含み、前記音声電話網は、ＶｏＬＴＥ、３Ｇ、インターネット電話網、及びＰＳＴＮのうち、少なくとも一つ以上の通信網を含み、前記データ網は、ＷｉＦｉ、インターネット、及びＬＴＥのうち、少なくとも一つ以上の通信網を含むことができる。
【００２４】
前記目的を達成するための本発明のさらに他の側面によれば、前記有無線融合システムにおける音声通信制御のための方法をコンピュータで実行させるためのプログラムを記録したコンピュータで読取り可能な記録媒体を提供することができる。
【００２５】
前記目的を達成するための本発明のさらに他の側面によれば、前記有無線融合システムにおける音声通信制御のための方法をハードウェアと結合して実行させるために、媒体に保存されたアプリケーションを提供することができる。
前記目的を達成するための本発明のさらに他の側面によれば、前記有無線融合システムにおける音声通信制御のための方法をコンピュータで実行させるために、媒体に保存されたコンピュータプログラムを提供することができる。
【図面の簡単な説明】
【００２６】
【図１】本発明の実施例による有無線融合システムにおける音声通信制御のためのシステムの構成図である。
【図２】本発明の一実施例による有無線融合システムにおける音声通信制御のための装置の構成図である。
【図３】本発明の他の実施例による有無線融合システムにおける音声通信制御のための装置の構成図である。
【図４】本発明の一実施例による有無線融合システムにおける音声通信制御のための方法のフローチャートである。
【図５】本発明の他の実施例による有無線融合システムにおける音声通信制御のための方法のフローチャートである。
【図６】本発明のさらに他の実施例による有無線融合システムにおける音声通信制御のための方法のフローチャートである。
【図７】本発明のさらに他の実施例による有無線融合システムにおける音声通信制御のための方法のフローチャートである。
【図８】本発明のさらに他の実施例による有無線融合システムにおける音声通信制御のための方法のフローチャートである。
【発明を実施するための形態】
【００２７】
以下、添付図面に基づいて本発明の実施例について具体的に説明する。
【００２８】
図１は、本発明の実施例による有無線融合システムにおける音声通信制御のためのシステムの構成図であり、同図面に図示されたように、音声電話網１、データ網２、ＦＭＣサーバ２００、及びＦＭＣ端末３００を含んでも良い。
【００２９】
音声電話網１は、音声通話が可能な通信網を示すものであって、例えば、ＬＴＥ移動網によって提供されるＶｏＬＴＥ（Ｖｏｉｃｅ  ｏｖｅｒ  Ｌｏｎｇ  Ｔｅｒｍ  Ｅｖｏｌｕｔｉｏｎ）、３Ｇ（３世代移動通信網）、インターネット電話網、及びＰＳＴＮ（Ｐｕｂｌｉｃ  Ｓｗｉｔｃｈｅｄ  Ｔｅｌｅｐｈｏｎｅ  Ｎｅｔｗｏｒｋ：公衆交換電話網）のうち、少なくとも一つ以上の通信網を含んでも良い。
【００３０】
データ網３はデータ通話が可能な通信網を示すことで、例えば、ＷｉＦｉ網、インターネット、及びＬＴＥ（ＬｏｎｇＴｅｒｍＥｖｏｌｕｔｉｏｎ）移動網などのうち、少なくとも一つ以上の通信網を含んでも良い。
【００３１】
ＦＭＣ（Ｆｉｘｅｄ  Ｍｏｂｉｌｅ  Ｃｏｎｖｅｒｇｅｎｃｅ）サーバ２００は、ＦＭＣ端末３００とインターネット電話機（図示せず）を内線加入者として管理しつつ、ＦＭＣ端末３００とインターネット電話機で発信／受信されるすべての一般号及び内線通話呼の制御処理を行うためのものであって、例えば、一本以上の有線電話回線を介して音声電話網１と連結され、１つ以上のＬＡＮ線などを介してデータ網３に連結されても良い。
【００３２】
ＦＭＣ（Ｆｉｘｅｄ  Ｍｏｂｉｌｅ  Ｃｏｎｖｅｒｇｅｎｃｅ）端末３００は、ＦＭＣサービスで使用されるユーザ（または加入者と称する）端末であって、スマートフォンのような移動端末に、ＦＭＣサーバ２００と連動するクライアントアプリケーション（Ａｐｐｌｉｃａｔｉｏｎ）としての関連アプリケーション（以下、ＦＭＣアプリケーションと称する）を設けて構成し、ＦＭＣアプリケーションの駆動時に、データ網３を介してＦＭＣサーバ３００に接続してデータ通信を行うと共に、音声電話網１を介してＦＭＣサーバ３００と連結して音声通話路を形成しても良い。
【００３３】
ＦＭＣ端末３００は、ＦＭＣサーバ２００から割り当てられたＦＭＣ内線電話番号及び移動通信社から割り当てられた固有携帯電話番号（以下、Ｎａｔｉｖｅ電話番号と称する）を有する。
【００３４】
図２は、本発明の一実施例による有無線融合システムにおける音声通信制御のための装置の構成図であり、一例として図１のＦＭＣサーバ２００に含まれて構成され、同図面に図示されたように、発信制御装置２１０及び着信制御装置２３０を含んでも良い。
【００３５】
発信制御装置２１０は、ＦＭＣ端末３００からの音声発信イベント発生時に、当該発信（音声）呼の通話経路を制御するためのものであって、例えば、第１通話路形成部２１１、着発信情報受信部２１３、第２通話路形成部２１５、及び通話路連結部２１７を含んでも良い。
【００３６】
第１通話路形成部２１１は、音声電話網１を介してユーザ端末としてのＦＭＣ端末３００から発信された音声（発信）呼を受信して、ＦＭＣ端末３００とＦＭＣサーバ２００との通話路（以下、第１通話路と称する）を形成するためのものであって、例えば、発信地（または発信番号と称する）がＦＭＣ端末３００のＮａｔｉｖｅ電話番号であり、着信地（または着信番号と称する）がＦＭＣサーバ２００の電話番号とする電話が、音声電話網１を介してかかってくると、当該電話を受信して第１通話路を形成することができる。
【００３７】
着発信情報受信部２１３は、データ網３を介してＦＭＣ端末３００から第１通話路の音声呼に対応する発信ＦＭＣ内線電話番号及び着信電話番号を受信するためのものであって、例えば、ＦＭＣ端末３００からの音声発信イベント発生時に現在開設された第１通話路の発信Ｎａｔｉｖｅ電話番号に対応するＦＭＣ内線電話番号及び加入者が選択した実際着信電話番号を含む実際着発信（ｃａｌｌ  ＩＤ）情報をＦＭＣ端末３００からデータ網３を介して受信することができる。
【００３８】
第２通話路形成部２１５は、着発信情報受信部２１３を介して受信された着発信情報に基づき、音声電話網１を介してＦＭＣサーバ２００と相手方着信端末（図示せず）との通話路（以下、第２通話路と称する）を形成するためのものである。
【００３９】
一例として、第２通話路形成部２１５は、発信地がＦＭＣ端末３００のＦＭＣ内線電話番号またはＦＭＣサーバ２００の電話番号であり、着信地が相手方着信端末の電話番号である電話を、音声電話網１を介して相手方着信端末にかけて第２通話路を形成することができる。
【００４０】
他の例として、第２通話路形成部２１５は、データ網３を介してＦＭＣ端末３００のＦＭＣ内線電話番号から呼び出しがあったということを、相手方着信端末の電話番号に通知し、その通知の結果、相手方着信端末から音声電話網１を介してＦＭＣサーバ２００の電話番号またはＦＭＣ端末３００のＦＭＣ内線電話番号にかかってきた電話を受信して、第２通話路を形成することができる。
【００４１】
通話路連結部２１７は、前記第１通話路と第２通話路とを互いに連結して、発信端末としてのＦＭＣ端末３００と相手方着信端末との通話を可能にするためのものである。
【００４２】
着信制御装置２３０は、ＦＭＣ端末３００への音声着信イベント発生時に、当該着信（音声）呼の通話経路を制御するためのものであって、例えば、第２通話路形成部２３１、着発信情報通知部２３３、第１通話路形成部２３５、及び通話路連結部２３７を含んでも良い。
【００４３】
第２通話路形成部２３１は、相手方発信端末（図示せず）から音声電話網１を介してユーザ端末としてのＦＭＣ端末３００を着信地とする音声（着信）呼を受信して、相手方発信端末とＦＭＣサーバ２００との通話路（以下、第２通話路と称する）を形成するためのものであって、例えば、発信地（または発信番号と称する）が相手方発信端末の電話番号であり、着信地（または着信番号と称する）がＦＭＣ端末３００のＦＭＣ内線電話番号またはＦＭＣサーバ２００の電話番号とする電話が音声電話網１を介してかかってくると、当該電話を受信して第２通話路を形成することができる。
【００４４】
着発信情報通知部２３３は、データ網３を介して第２通話路に対する発信番号及び着信番号を、ＦＭＣ端末３００に通知するためのものであって、例えば、ＦＭＣ端末３００への音声着信イベント発生時に、現在開設された第２通話路の発信電話番号としての相手方発信端末の電話番号及び相手方発信者が選択した着信電話番号を含む着発信情報を、ＦＭＣサーバ２００からデータ網３を介して着信端末としてのＦＭＣ端末３００に通知することができる。
【００４５】
第１通話路形成部２３５は、着発信情報通知部２３３を介して通知された着発信情報に基づき、音声電話網１を介してＦＭＣサーバ２００と着信端末としてのＦＭＣ端末３００との通話路（以下、第１通話路と称する）を形成するためのものである。
【００４６】
一例として、着発信情報通知部２３５は、相手方発信端末からＦＭＣ端末３００のＦＭＣ内線電話番号に電話がかかってきたことを、データ網３を介してＦＭＣ端末３００に通知して、ＦＭＣ端末３００がＦＭＣサーバ２００に電話をかけるようにし、その結果、第１通話路形成部２３５は、ＦＭＣ端末３００のＮａｔｉｖｅ電話番号から音声電話網１を介してＦＭＣサーバ２００電話番号にかかってきた電話を受信して第１通話路を形成することができる。
【００４７】
他の例として、第１通話路形成部２３５は、ＦＭＣサーバ２００の電話番号から音声電話網１を介してＦＭＣ端末３００のＮａｔｉｖｅ電話番号に電話して第１通話路を形成し、着発信情報通知部２３３は、相手方発信端末から呼び出しがあったということを、データ網３を介してＦＭＣ端末３００のＦＭＣ内線電話番号に通知することができる。
【００４８】
通話路連結部２３７は、前記第１通話路と第２通話路とを互いに連結して、着信端末としてのＦＭＣ端末３００と相手方発信端末との通話を可能ならしめるためのものである。
【００４９】
図３は、本発明の他の実施例による有無線融合システムにおける音声通信制御のための装置の構成図であり、一例として、図１のＦＭＣ端末３００に含まれて構成され、同図面に図示されたように、発信制御装置３１０及び着信制御装置３３０を含んでも良い。
【００５０】
発信制御装置３１０は、ＦＭＣ端末３００から音声発信イベントの発生時に、当該発信（音声）呼の通話経路を制御するためのものであって、例えば、第１通話路形成部３１１、着発信情報通知部３１３、及び通話部３１５を含んでも良い。
【００５１】
第１通話路形成部３１１は、ユーザ端末としてのＦＭＣ端末３００からＦＭＣ内線電話番号を発信番号とする音声発信イベントが発生すれば、ＦＭＣ端末３００のＮａｔｉｖｅ電話番号を発信番号とし、ＦＭＣサーバ２００の電話番号を着信番号とする音声（発信）呼を、音声電話網１を介して発信し、ＦＭＣ端末３００とＦＭＣサーバ２００との通話路（以下、第１通話路と称する）を形成するためのものである。
【００５２】
ＦＭＣ端末３００は、ユーザが選択した相手方着信端末の電話番号及びＦＭＣ端末３００の発信ＦＭＣ内線電話番号に基づいた着発信履歴表示及び管理などを既存のように処理するが、前記第１通話路の形成過程は、バックグラウンド実行して、ユーザをして、認識不可能にすることができる。
【００５３】
着発信情報通知部３１３は、前述したようにＦＭＣ内線電話番号を発信番号とする音声発信イベントの発生時に、当該発信番号としてのＦＭＣ内線電話番号及び相手方着信電話番号を、データ網３を介してＦＭＣサーバ２００に通知するためのものである。
【００５４】
通話部３１５は、第１通話路形成部３１１によって形成されたＦＭＣ端末３００とＦＭＣサーバ２００との第１通話路及びＦＭＣサーバ２００と相手方着信端末との間に音声電話網１を介して形成された第２通話路（図２の第２通話路形成部２１５及び関連説明参照）を介して当該着信端末と通話するためのものである。
【００５５】
着信制御装置３３０は、ＦＭＣ端末３００で音声着信イベントの発生時に、当該着信（音声）呼の通話経路を制御するためのものであって、例えば、第１通話路形成部３３１、着発信情報受信部３３３、及び通話部３３５を含んでも良い。
【００５６】
第１通話路形成部３３１は、ＦＭＣ端末３００で音声着信イベントの発生時に、音声電話網１を介してＦＭＣ端末３００とＦＭＣサーバ２００との通話路（以下、第１通話路と称する）を形成するためのものである。
【００５７】
着発信情報受信部３３３は、データ網３を介してＦＭＣサーバから相手方発信端末の電話番号及びＦＭＣ端末３００のＦＭＣ内線電話番号を、実際着発信情報として通知されるためのものである。
【００５８】
一例として、第１通話路形成部３３１は、音声電話網１を介してＦＭＣサーバ２００からＦＭＣ端末３００のＮａｔｉｖｅ電話番号にかかってきた電話を受信して第１通話路を形成し、着発信情報受信部３３３は、データ網３を介してＦＭＣサーバ２００から通知された相手方発信端末の電話番号及びＦＭＣ端末２００のＦＭＣ内線電話番号に基づいて相手方が選択した実際発信番号及び着信番号情報を認知することができる。
【００５９】
他の例として、着発信情報受信部３３３は、データ網３を介して相手方発信端末（の電話番号）からＦＭＣ端末３００のＦＭＣ内線電話番号への着信イベントがあるということを、ＦＭＣサーバから通知されて認知し、その認知の結果、第１通話路形成部３３１は、ＦＭＣ端末３００のＮａｔｉｖｅ電話番号から音声電話網１を介してＦＭＣサーバ２００の電話番号に電話して第１通話路を形成することができる。
【００６０】
ＦＭＣ端末３００は、相手方発信者が選択した着信番号としてのＦＭＣ端末３００のＦＭＣ内線電話番号及び当該発信電話番号を認識して画面表示、着発信履歴保存など既存のように処理するが、前記第１通話路の形成過程は、バックグラウンド実行して、ユーザが認識できないようにすることができる。
【００６１】
通話部３３５は、第１通話路形成部３３１によって音声電話網１を介して形成されたＦＭＣ端末３００とＦＭＣサーバ２００との第１通話路及びＦＭＣサーバ２００と相手方発信端末との間に音声電話網１を介して形成された第２通話路（図２の第２通話路形成部２３１及び関連説明参照）を介して当該相手方発信端末と通話するためのものである。
【００６２】
図４は、本発明の一実施例による有無線融合システムにおける音声通信制御のための方法のフローチャートであって、図１、図２のＦＭＣサーバ２００の発信制御装置２１０で行う発信制御方法の一例を示すので、当該装置２００、２１０の動作と並行して説明する。
【００６３】
まず、ＦＭＣサーバ２００の発信制御装置２１０の第１通話路形成部２１１は、加入者（またはユーザと称する）端末としてのＦＭＣ端末３００のｎａｔｉｖｅ電話番号を発信番号とし、ＦＭＣサーバ２００の電話番号を着信番号とする音声発信呼値音声電話網１を介して受信されれば、当該ＦＭＣ端末３００からの音声呼発信イベントがあると判断し（Ｓ４０１）、ＦＭＣサーバ２００とＦＭＣ端末３００との間の第１通話路を形成する（Ｓ４０３）。
【００６４】
次いで、着発信情報受信部２１３は、段階Ｓ４０３で開設された第１通話路の発信Ｎａｔｉｖｅ電話番号に対応するＦＭＣ内線電話番号及び加入者が選択した実際着信電話番号を含む実際着発信情報を、ＦＭＣ端末３００からデータ網３を介して受信し（Ｓ４０５）、第２通話路形成部２１５は、段階Ｓ４０５で受信された着発信情報に基づいて音声電話網１を介して、ＦＭＣサーバ２００と相手方着信端末（図示せず）との間の第２通話路を形成する（Ｓ４０７）。
【００６５】
段階Ｓ４０７において、第２通話路形成部２１５は、一例として、発信地がＦＭＣ端末３００のＦＭＣ内線電話番号またはＦＭＣサーバ２００の電話番号であり、着信地が相手方着信端末の電話番号である音声呼を、音声電話網１を介して相手方着信端末に伝送して第２通話路を形成することができ、他の例として、データ網３を介してＦＭＣ端末３００のＦＭＣ内線電話番号から呼び出しがあったということを、相手方着信端末の電話番号に通知し、その通知の結果、相手方着信端末から音声電話網１を介して、ＦＭＣサーバ２００の電話番号またはＦＭＣ端末３００のＦＭＣ内線電話番号にかかってきた電話を受信して第２通話路を形成することができる。
【００６６】
最後に、ＦＭＣサーバ２００の発信制御装置２１０の通話路連結部２１７は、段階Ｓ４０３で開設された第１通話路と、段階Ｓ４０７で開設された第２通話路とを互いに連結して、発信端末としてのＦＭＣ端末３００と相手方着信端末との通話を可能にする。
【００６７】
図５は、本発明の他の実施例による有無線融合システムにおける音声通信制御のための方法のフローチャートであって、図１、図２のＦＭＣサーバ２００の着信制御装置２３０で行う着信制御方法の一例を示すので、当該装置２００、２３０の動作と並行して説明する。
【００６８】
まず、ＦＭＣサーバ２００の着信制御装置２３０の第２通話路形成部２３１は、相手方発信端末（図示せず）から音声電話網１を介して加入者端末としてのＦＭＣ端末３００のＦＭＣ内線電話番号を着信地とする音声（着信）呼が受信されれば、当該ＦＭＣ端末３００への音声呼着信イベントがあると判断し（Ｓ５０１）、相手方発信端末とＦＭＣサーバ２００との間の第２通話路を形成する（Ｓ５０３）。
【００６９】
次いで、着発信情報通知部２３３は、段階Ｓ５０３で開設された第２通話路の発信電話番号としての相手方発信端末の電話番号及び相手方発信者が選択した着信電話番号としてのＦＭＣ端末３００のＦＭＣ内線電話番号を含む着発信情報をＦＭＣサーバ２００からデータ網３を介して着信端末としてのＦＭＣ端末３００に通知し（Ｓ５０５）、第１通話路形成部２３５は、当該着発信情報に基づいて音声電話網１を介してＦＭＣサーバ２００と着信端末としてのＦＭＣ端末３００との間の第１通話路を形成する（Ｓ５０７）。
【００７０】
前記段階Ｓ５０５〜Ｓ５０７は、一例として、相手方発信端末からＦＭＣ端末３００のＦＭＣ内線電話番号に電話がかかってきたことを、データ網３を介してＦＭＣ端末３００に通知して、ＦＭＣ端末３００がＦＭＣサーバ２００で電話をかけるようにし、その結果、ＦＭＣ端末３００のＮａｔｉｖｅ電話番号から音声電話網１を介してＦＭＣサーバ２００の電話番号にかかってきた電話を受信して、第１通話路を形成することができる。他の例としては、ＦＭＣサーバ２００の電話番号から音声電話網１を介してＦＭＣ端末３００のＮａｔｉｖｅ電話番号に電話して第１通話路を形成すると共に、相手方発信端末から呼び出しがあったということを、データ網３を介してＦＭＣ端末３００のＦＭＣ内線電話番号に通知することができる。
【００７１】
最後に、ＦＭＣサーバ２００の着信制御装置２３０の通話路連結部２３７は、段階Ｓ５０３で開設された第２通話路と、段階Ｓ５０７で開設された第１通話路とを互いに連結して、着信端末としてのＦＭＣ端末３００と相手方発信端末との通話を可能にする。
【００７２】
図６は、本発明のさらに他の実施例による有無線融合システムにおける音声通信制御のための方法のフローチャートであり、図１、図３のＦＭＣ端末３００の発信制御装置３１０で行う発信制御方法の一例を示すので、当該装置３００、３１０の動作と並行して説明する。
【００７３】
まず、ＦＭＣ端末３００の発信制御装置３１０の第１通話路形成部３１１は、ＦＭＣ端末３００のユーザが、ＦＭＣアプリケーションを駆動した状態で（Ｓ６０１）、相手方に電話をかけて、ＦＭＣ端末３００のＦＭＣ内線電話番号を発信番号とする音声呼発信イベントが発生すれば（Ｓ６０３）、ＦＭＣ端末３００のＮａｔｉｖｅ電話番号を発信番号とし、ＦＭＣサーバ２００の電話番号を着信番号とする音声（発信）呼を、音声電話網１を介して発信して、ＦＭＣ端末３００とＦＭＣサーバ２００との間の第１通話路を形成する（Ｓ６０５）。
【００７４】
前記段階Ｓ６０１〜Ｓ６０５の過程で、ＦＭＣ端末３００は、ユーザが選択した相手方着信端末の電話番号及びＦＭＣ端末３００の発信ＦＭＣ内線電話番号に基づいた着発信履歴の表示及び管理などを既存のように処理するが、前記第１通話路の形成過程は、バックグラウンド実行して、ユーザが認識できないようにする。
【００７５】
次いで、着発信情報通知部３１３は、前記段階Ｓ６０３で発生した発信イベントに対応する着発信情報、すなわち、ユーザが選択した相手方着信電話番号及びＦＭＣ端末３００のＦＭＣ内線電話番号についての情報を、データ網３を介してＦＭＣサーバ２００に通知する（Ｓ６０７）。
【００７６】
最後に、通話部３１５は、相手方が着信を許容すれば（Ｓ６０９）、前記図４の段階Ｓ４０５〜Ｓ４０９のようにＦＭＣサーバ２００と相手方着信端末との間の第２通話路が形成され、かつ第１通話路と第２通話路とが連結されつつ、ＦＭＣ端末３００と相手方着信端末との通話を可能にする。
【００７７】
図７は、本発明のさらに他の実施例による有無線融合システムにおける音声通信制御のための方法のフローチャートであって、図１、図３のＦＭＣ端末３００の着信制御装置３３０で行う着信制御方法の一例を示すので、当該装置３００、３３０の動作の一例と並行して説明する。
【００７８】
まず、第１通話路形成部３３１は、ＦＭＣアプリケーションの駆動状態で（Ｓ７０１）、音声電話網１を介してＦＭＣサーバ２００からＦＭＣ端末３００のＮａｔｉｖｅ電話番号に呼び出しがあれば、音声着信イベントが発生したと判断し（Ｓ７０３）、当該電話を受信して、ＦＭＣサーバ２００とＦＭＣ端末３００との間の第１通話路を形成する（Ｓ７０５）。
【００７９】
同時に、着発信情報受信部３３３は、データ網３を介して、ＦＭＣサーバ２００から相手方発信端末の電話番号及びＦＭＣ端末３００のＦＭＣ内線電話番号を通知され、この通知情報に基づいて、相手方発信端末からＦＭＣ端末３００のＦＭＣ内線電話番号に呼び出しがあるということを認知して、相手方が選択した実際着発信電話番号を画面表示するなどの管理が可能である（Ｓ７０７）。
【００８０】
最後に、通話部３３５は、段階Ｓ７０５において、第１通話路形成部３３１によって音声電話網１を介して形成されたＦＭＣ端末３００とＦＭＣサーバ２００との間の第１通話路と、前記図５の段階Ｓ５０３のように、ＦＭＣサーバ２００と相手方発信端末との間に音声電話網１を介して形成された第２通話路を通じて着信端末としてのＦＭＣ端末３００と相手方発信端末との通話を可能にする（Ｓ７０９）。
【００８１】
図８は、本発明のさらに他の実施例による有無線融合システムにおける音声通信制御のための方法のフローチャートであって、図１、図３のＦＭＣ端末３００の着信制御装置３３０で行う着信制御方法の他の例を示すので、当該装置３００、３３０の動作の他の例と並行して説明する。
【００８２】
まず、着発信情報受信部３３３は、ＦＭＣアプリケーションの駆動状態で（Ｓ８０１）、着信イベントがあれば（Ｓ８０３）、ＦＭＣサーバ２００からデータ網３を介して通知された着発信情報、すなわち、相手方発信端末の電話番号及びＦＭＣ端末３００のＦＭＣ内線電話番号を受信して、ＦＭＣ端末３００のＦＭＣ内線電話番号への呼び出しがあるということを認知する（Ｓ８０５）。
【００８３】
次いで、段階Ｓ８０５の認知結果、第１通話路形成部３３１は、ＦＭＣ端末３００のＮａｔｉｖｅ電話番号から音声電話網１を介してＦＭＣサーバ２００の電話番号に電話してＦＭＣ端末３００とＦＭＣサーバ２００との間の第１通話路を形成する（Ｓ８０７）。
【００８４】
最後に、通話部３３５は、段階Ｓ８０７で第１通話路形成部３３１によって音声電話網１を介して形成されたＦＭＣ端末３００とＦＭＣサーバ２００との間の第１通話路と、前記図５の段階Ｓ５０３のように、ＦＭＣサーバ２００と相手方発信端末との間に音声電話網１を介して形成された第２通話路を通じて着信端末としてのＦＭＣ端末３００と相手方発信端末との通話を可能にする（Ｓ８０９）。
【００８５】
前述したような本発明の多様な実施例による有無線融合システムにおける音声通信制御のための方法は、多様なコンピュータを介して動作を行うためのプログラム命令を含むコンピュータ可読記録媒体（またはアプリケーション）として具現される。前記コンピュータ可読記録媒体は、プログラム命令、ローカルデータファイル、ローカルデータ構造などを単独または組合わせて含むことができる。前記記録媒体は、本発明の実施例のために特別に設計され、構成されたものであるか、コンピュータソフトウェア分野の通常の技術者に公知されて使用可能なものでもある。コンピュータ可読記録媒体の例としては、ハードディスク、プロッピィーディスク及び磁気テープのような磁気媒体、ＣＤ−ＲＯＭ、ＤＶＤのような光記録媒体、フロプティカル（ｆｌｏｐｔｉｃａｌ）ディスクのような光磁気媒体、そしてＲＯＭ、ＲＡＭ、フラッシュメモリのようなプログラム命令を保存し、実行するように特別に構成されたハードウェア装置が含まれる。前記記録媒体は、プログラム命令、ローカルデータ構造などを指定する信号を伝送する搬送波を含む光または金属線、導波管などの伝送媒体でもある。プログラム命令の例としては、コンパイラーによって作られるような機械語コードのみならず、インタプリターなどを使用してコンピュータで実行可能な高級言語コードが含まれうる。
【００８６】
前述したように、本発明の多様な側面によれば、有無線融合システムであって、有無線融合サービス提供時に、ユーザ端末から発信または着信される音声通信呼に対する通話路を効率よく制御することで、すなわち、ＦＭＣサービス時に音声電話網とデータ網のうち、相対的に通話品質が保証され、通話費用は、チープな音声電話網を介して音声通話路を形成するが、着発信情報は、データ網を介して通知されるように制御することにより、従来よりも通話費用を画期的に低め、音声通話品質は大きく向上させうる。
【図１】
0006541876.tif 000002
【図２】
0006541876.tif 000003
【図３】
0006541876.tif 000004
【図４】
0006541876.tif 000005
【図５】
0006541876.tif 000006
【図６】
0006541876.tif 000007
【図７】
0006541876.tif 000008
【図８】
0006541876.tif 000009